(57)【要約】【課題】環境により変動する遅延プロファイルの状況に応じて、上述トレードオフの関係にある閾値を、容易な手段で最良点に合わせられるランダムアクセスチャネル受信装置およびその受信方法を提供する。【解決手段】移動局からのメッセージ送信を受信し制御するランダムアクセスチャネル受信装置において、各移動局からの受信データから各電力プロファイルを合成して遅延プロファイルを作成するプロファイル合成部７と、遅延プロファイルの中に、移動局からフレームの始まりを合図するために送られるプリアンブルの有無検出を行うプリアンブル検出部９と、プリアンブルの誤検出の確率を算出する誤検出確率算出部１１と、誤検出確率算出部により得られる誤検出確率に対応して閾値を算出する検出閾値算出部１２とを有する。【選択図】図２
2011114716.tif 000002
【特許請求の範囲】
【請求項１】
複数の移動局が共通のチャネルを用いて任意のタイミングで基地局にアクセスを行い、基地局は前記移動局からのメッセージ送信を受信し制御するランダムアクセスチャネル受信装置において、
各移動局からの受信データから各電力プロファイルを合成して遅延プロファイルを作成するプロファイル合成部と、
前記遅延プロファイルの中に、前記移動局からフレームの始まりを合図するために送られるプリアンブルの有無検出を行うプリアンブル検出部と、
前記プリアンブルの誤検出の確率を算出する誤検出確率算出部と、
前記誤検出確率算出部により得られる誤検出確率に対応して閾値を算出する検出閾値算出部と、
を有することを特徴とするランダムアクセスチャネル受信装置。
【請求項２】
請求項１記載のランダムアクセスチャネル受信装置において、
前記プリアンブル誤検出確率算出部は、前記基地局のセル半径外である余剰プロファイル区間からプリアンブル誤検出回数を求めることを特徴とするランダムアクセスチャネル受信装置。
【請求項３】
請求項１記載のランダムアクセスチャネル受信装置において、
前記検出閾値算出部は、検出閾値を更新するステップ幅に対応して閾値決定プロセス繰り返し数を決定することを特徴とするランダムアクセスチャネル受信装置。
【請求項４】
複数の移動局が共通のチャネルを用いて任意のタイミングで基地局にアクセスを行い、基地局は前記移動局からのメッセージ送信を受信し制御するランダムアクセスチャネル受信方法であって、
各移動局からの受信データから各電力プロファイルを合成して遅延プロファイルを作成するステップと、
前記遅延プロファイルの中に、前記移動局からフレームの始まりを合図するために送られるプリアンブルの有無検出を行うステップと、
前記プリアンブルの誤検出の確率を算出するステップと、
得られた誤検出確率に対応して閾値を算出するステップと、
を含むことを特徴とするランダムアクセスチャネル受信方法。
【請求項５】
請求項４記載のランダムアクセスチャネル受信方法であって、
前記プリアンブルの誤検出の確率を算出するステップは、前記基地局のセル半径外である余剰プロファイル区間からプリアンブル誤検出回数を求めることを特徴とするランダムアクセスチャネル受信方法。
【発明の詳細な説明】
【技術分野】
【０００１】
本発明は、基地局におけるランダムアクセスチャネル受信装置およびその受信方法に関し、好適にはＬＴＥ（Long Term Evolution）移動通信システムを構成する基地局のランダムアクセス受信装置およびその受信方法に関するものである。
【背景技術】
【０００２】
移動通信システムにおいては、複数の移動局が共通チャネルを用いて任意のタイミングで基地局にアクセスを行い、基地局はこの移動局からのメッセージ送信を受信し制御するランダムアクセスチャネル受信方法が採られている。
【０００３】
この際、移動局はメッセージの送信に先立ち、基地局に対してメッセージが発生したことを通知するプリアンブルを送信する。
【０００４】
図５は、ランダムアクセスチャネル受信装置の従来の構成を示すブロック図である。このランダムアクセスチャネル受信装置に対して、ベースバンド周波数帯域の受信データがアナログ→ディジタル変換されたフォーマットで上り受信データとして入力される。上り受信データは、任意のアンテナ数分パラレルに入力され、ランダムアクセスチャネル受信装置の構成も、プロファイル合成前まではアンテナ数分パラレルな構成となる。
【０００５】
図５において、前段処理部１０〜１ｎは、ランダムアクセスチャネル受信装置に入力される受信データに対し、以下の３つの処理を行う。
【０００６】
（１）回転除去
ランダムアクセスチャネル送信信号生成で掛けられる回転を除去するもので、受信データに対し回転子テーブルを複素乗算することで除去する。
【０００７】
（２）周波数シフト
周波数帯域上、ランダムアクセスチャネルは任意の周波数位置に配置されるため、周波数をシフトし、ランダムアクセスチャネル信号が周波数軸上の中心にくるようシフトする処理となる。周波数のシフトは、回転子テーブルの複素乗算で行う。
【０００８】
（３）フィルタリング
周波数帯域上のランダムアクセスチャネル以外の信号を除去するために行う、フィルタリング処理であり、タップ長有限のＦＩＲディジタルフィルタを通過させる処理となる。
【０００９】
ＤＦＴ（Discrete Fourier Transform）２０〜２ｎは離散フーリエ変換器であり、時間軸から周波数軸への変換を行う。
【００１０】
系列除去部３０〜３ｎは、受信データに対し、別途レプリカ系列発生部４から得られる既知のレプリカ系列を乗算することで相関値を得る。ＬＴＥ移動通信システムでは直交周波数分割多重（ＯＦＤＭ：Orthogonal Frequency Division Multiplexing）通信方式を用いるため、この系列除去処理は前段処理後のデータに対し、ＤＦＴ(時間軸→周波数軸)変換を行った受信データに対し行う。
【００１１】
ＩＦＦＴ（Inverse FFT）５０〜５ｎは、逆離散フーリエ変換器であり、系列除去後は逆変換（周波数軸→時間軸変換）を経て、電力プロファイル６０〜６ｎで得られた相関値をプロファイル合成部７でアンテナ数分加算すること（プロファイル合成)で遅延プロファィルを得る。この遅延プロファイルは、電波の遅延について調べるために、いろいろな状況を与えて、どれだけ電波が遅延したかのデータを集めることです。
【００１２】
プリアンブル検出部９では、雑音電力算出部８で得られたプロファイルの干渉電力レベルを基準に、固定値であるプリアンブル検出閾値を加算し、これをプリアンブル検出の閾値とし、閾値以上であればプリアンブル検出、閾値未満であればプリアンブル未検出と判定する処理を行う。
【００１３】
タイミング調整算出部１０は、プリアンブル検出部９でプリアンブル検出と判定されたプリアンブルについて、ピーク位置よりタイミング調整値を算出する。
【００１４】
この点、従来は、ランダムアクセス信号受信装置において、プリアンブル信号を受信したか否かを判定するために、プリアンブル受信信号の遅延プロファイルから相関値の平均値に対する分散度を示す相関値分散度を算出する相関値分散度算出手段と、相関値分散度から閾値を算出する閾値算出手段とを具備する技術が知られている。(例えば、特許文献１参照)。
【先行技術文献】
【特許文献】
【００１５】
【特許文献１】特開２００４−３５６７２５号公報
【発明の概要】
【発明が解決しようとする課題】
【００１６】
しかし、従来技術(特許文献１)においては、プリアンブル検出閾値を求める手段として相関値の分散起因を用いるが、それ以外の誤検出発生要因も存在することから、閾値を最適化できるわけではなかった。
【００１７】
図６を参照して、従来の問題点を具体的に説明する。
【００１８】
図６は、図５に示すプリアンブル検出部９の波形図である。図６の左上図に示すように、プリアンブルが送信されていない状態の遅延プロファイルには、プリアンブルによる本来のピーク値は存在しないはずだが、系列の特性で発生してしまう相関や、受信データにノイズあるいは、フェージングが乗った状態で系列除去した際に発生してしまう擬似ピーク点が、プロファイル長の任意の場所に存在する状態となる。
【００１９】
図６の左下図のように、プリアンブル検出閾値では、擬似ピーク点をプリアンブル検出と誤判定し、プリアンブル誤検出となる。
【００２０】
図６の右図は、実際にプリアンブルが送信されて得られるプロファイル検出にも用いられるため、プリアンブル検出閾値(固定値)は、誤検出を起こさない程度に高く、且つ、本物のプリアンブルは正しく検出できる程度に低くする必要があり、トレードオフの関係にある値となる。
【００２１】
本発明は、かかる点に鑑みてなされたものであり、環境により変動する遅延プロファイルの状況に応じて、上述トレードオフの関係にある閾値を、容易な手段で最良点に合わせられるランダムアクセスチャネル受信装置およびその受信方法を提供することを目的とする。
【課題を解決するための手段】
【００２２】
上記課題を解決するための装置の一観点は、複数の移動局が共通のチャネルを用いて任意のタイミングで基地局にアクセスを行い、基地局は前記移動局からのメッセージ送信を受信し制御するランダムアクセスチャネル受信装置において、各移動局からの受信データから各電力プロファイルを合成して遅延プロファイルを作成するプロファイル合成部と、前記遅延プロファイルの中に、前記移動局からフレームの始まりを合図するために送られるプリアンブルの有無検出を行うプリアンブル検出部と、前記プリアンブルの誤検出の確率を算出する誤検出確率算出部と、前記誤検出確率算出部により得られる誤検出確率に対応して閾値を算出する検出閾値算出部とを設けた。
【００２３】
装置の一観点によれば、ランダムアクセスチャネル受信装置に入力される受信データの干渉電力レベル、伝搬環境および系列起因で生じてしまう相関等に応じ、所望な誤検出確率となるプリアンブル検出閾値を動的に適用できる。更に、固定値であるプリアンブル検出閾値をマニュアル操作で各環境に応じて変更する必要が無くなるランダムアクセスチャネル受信装置を提供できる。
【００２４】
方法は、複数の移動局が共通のチャネルを用いて任意のタイミングで基地局にアクセスを行い、基地局は前記移動局からのメッセージ送信を受信し制御するランダムアクセスチャネル受信方法であって、各移動局からの受信データから各電力プロファイルを合成して遅延プロファイルを作成するステップと、前記遅延プロファイルの中に、前記移動局からフレームの始まりを合図するために送られるプリアンブルの有無検出を行うステップと、前記プリアンブルの誤検出の確率を算出するステップと、得られた誤検出確率に対応して閾値を算出するステップとを含んでいる。
【００２５】
この方法によれば、ランダムアクセスチャネル受信装置に入力される受信データの干渉電力レベル、伝搬環境および系列起因で生じてしまう相関等に応じ、所望な誤検出確率となるプリアンブル検出閾値を動的に適用できる。更に、固定値であるプリアンブル検出閾値をマニュアル操作で各環境に応じて変更する必要が無くなるランダムアクセスチャネル受信装置を提供できる。
【発明の効果】
【００２６】
以上、開示の技術によれば、ランダムアクセスチャネル受信装置に入力される受信データの干渉電力レベル、伝搬環境および系列起因で生じてしまう相関等に応じ、所望な誤検出確率となるプリアンブル検出閾値を動的に適用できる。更に、固定値であるプリアンブル検出閾値をマニュアル操作で各環境に応じて変更する必要が無くなる。
【図面の簡単な説明】
【００２７】
【図１】本発明が対象とするランダムアクセスチャネル遅延プロファイルの構成図である。
【図２】本発明によるランダムアクセスチャネル受信装置の構成を示すブロック図（実施例１）である。
【図３】本発明によるランダムアクセスチャネル受信装置の構成を示すブロック図（実施例２）である。
【図４】本発明によるランダムアクセスチャネル受信方法を示すフローチャートである。
【図５】ランダムアクセスチャネル受信装置の従来の構成を示すブロック図である。
【図６】図５に示すプリアンブル検出部の波形図である。
【発明を実施するための形態】
【００２８】
以下、本発明の実施の形態について、図を参照しながら説明する。
【００２９】
図１は、本発明が対象とするランダムアクセスチャネル遅延プロファイルの構成図であり、特にＬＴＥ（Long Term Evolution）移動通信システムを構成する装置における、ランダムアクセスチャネル受信装置で得られる遅延プロファイルの一例を示す。ＬＴＥとは、携帯電話の高速なデータ通信仕様の一つで、第３世代携帯電話方式「Ｗ−ＣＤＭＡ」の高速データ通信規格をさらに進化させたもので、標準化が進められている。
【００３０】
ＬＴＥにおけるランダムアクセスチャネルでは、プリアンブル系列として、Ｚａｄｏｆｆ−Ｃｈｕ（ＺＣ）系列が用いられる。実際に送信される系列としては、任意のＺＣ系列をサイクリックシフト間隔で巡回シフトされた形となる。図１は、サイクリックシフト数＝４の場合である。
【００３１】
このサイクリックシフト間隔で区切られた遅延プロファイル範囲(図１のＡ)が、それぞれ１ＵＥ（User Equipment）に対応する。また、図１のＢは、受信装置に設定される基地局のセル半径に対応するプロファイル範囲であり、図１のＣは，誤検出確率算出に用いるプロファイル範囲となる。
【００３２】
受信装置に設定される基地局のセル半径は、マージンを考慮し、１ＵＥに対応する遅延プロファイル範囲(図１のＡ)より狭く設定され、セル半径設定以上の遅延プロファイルについては、プリアンブル検出のサーチ対象とはしない。
【００３３】
従って、図１のＡとＢの差分（＝Ｃ）の余剰となる遅延プロファイル範囲が存在することとなる。
【００３４】
この余剰遅延プロファイル部分は、移動機（ＵＥ：User Equipment）が存在し得ない範囲であり、よって、本物の相関ピークが現れることは無く、この範囲で閾値を超えるピーク点は全て誤検出であると見なすことが出来る。
【００３５】
本特許では，図１のＣの範囲の遅延プロファイルを誤検出確率算出に用いる。
【００３６】
図２は、本発明によるランダムアクセスチャネル受信装置の構成を示すブロック図(実施例１)である。以下に、図４で説明した従来方式との差分をメインに説明する。
【００３７】
プリアンブル検出部（セル半径内）９ａは、図１のＢの遅延プロファイル部分をサーチする「セル半径内」用であり、プリアンブル検出部（セル半径外）９ｂは、図１のＣの遅延プロファイル部分をサーチする「セル半径外」用である。
【００３８】
それぞれの、プリアンブル検出部（セル半径内）９ａとプリアンブル検出部（セル半径外）９ｂには、プロファイル合成部７から得られる遅延プロファイルが入力される。
【００３９】
プリアンブル検出部（セル半径外）９ｂには、プリアンブル検出閾値(初期値)が入力される。この初期値は、任意の値で良いが、例えば雑音電力算出部８で得られる干渉電力レベルを用いることができる。
【００４０】
さらに、プリアンブル検出部（セル半径外）９ｂには、検出閾値算出部１２から得られる閾値と、雑音電力算出部８から得られる干渉レベルを加算した値が入力される。
【００４１】
これは、プリアンブル検出部(セル半径外)９ｂ→誤検出確率算出部１１→検出閾値算出部１２の一連の処理を閾値を変えながら所望の誤検出確率が得られるまで、繰り返す際に用いるフィードバック情報となる。
【００４２】
また、誤検出確率算出部１１は、プリアンブル検出閾値を上下させるために必要となる情報(=誤検出確率)を算出する。
【００４３】
算出式としては、以下となる。
【００４４】
誤検出確率＝プリアンブル誤検出回数／物理ランダムアクセスチャネル受信回数
ここで、上式中の分子に相当するプリアンブル誤検出回数は、誤検出確率算出部１１に用いる「任意時間当たりに検出したプリアンブル検出数」であり、「セル半径外」用のプリアンブル検出部９ｂで検出した回数そのものである。これは、プロファイルの余剰部分を用いるため、「セル半径外プリアンブル検出＝誤検出」と見なすことができるためである。
【００４５】
また、上式中の分母に相当する「物理ランダムアクセスチャネル受信回数」は、誤検出確率算出部１１に用いる「任意時間当たりに含まれる物理ランダムアクセスチャネル受信回数×サイクリックシフト数」で求められる。
【００４６】
任意時間当たりに含まれる物理ランダムアクセスチャネル受信回数は、物理ランダムアクセスチャネル構造の配置により決まり、例えば、物理ランダムアクセスチャネル構造の配置＝３の場合、ランダムアクセスチャネルは、１０ｍｓ間に１ｍｓ存在し、誤検出確率算出部１１の任意時間を１０ｍｓとした場合、任意時間当たりに含まれる物理ランダムアクセスチャネル受信回数＝１となる。
【００４７】
サイクリックシフト数は、低移動性または高移動性といった条件の違いで算出式が異なるが、既知の数式により、容易に算出できる。
【００４８】
検出閾値算出部１２では、誤検出確率算出部１１で得られた誤検出確率から、プリアンブル検出閾値を上下どちらに動かせば良いかを判定し、閾値を決定する機能部となる。
【００４９】
以下に閾値決定例を示す。
【００５０】
目標の誤検出確率を９９．０％と設定した際
（１）誤検出確率算出部で求められた誤検出確率が９８．０％の場合
誤検出が目標より多いと見なし、検出閾値を０．１ｄΒステップで上げる。
（２）誤検出確率算出部で求められた誤検出確率が９９．９％の場合
誤検出が目標より少ないと見なし、検出閾値を０．１ｄΒステップで下げる。
【００５１】
以上のように、検出閾値を上下に変更する度に、誤検出確率を求め、プリアンブル検出(セル半径外)部９ｂにフィードバックする一連のプロセスを繰り返すことで、所望の誤検出確率となる閾値を決めることができる。
【００５２】
また、検出閾値を更新するステップ幅とプロセス繰り返し回数を関連させ、プロセス繰返し回数が小の場合には、ステップ幅を大に設定し、プロセス繰返し回数が大の場合には、ステップ幅を小に設定する。これにより、より少ないプロセス繰返し回数(時間)で所望の誤検出確率となる、検出閾値を求める(収束させる)ことが可能となる。
【００５３】
本発明によるプリアンブル検出閾値の動的算出から、プリアンブル検出閾値を適用する構成では、実運用に入る前の装置立ち上げ期間の一部にトレーニング期間を設け、適切な閾値を決める方法と共に、未使用のプロファイル範囲を用いるため、実運用中での適用も可能である。
【００５４】
図３は、本発明によるランダムアクセスチャネル受信装置の構成を示すブロック図(実施例２)である。以下に、図２で説明した本発明によるランダムアクセスチャネル受信装置の構成を示すブロック図(実施例１)との相違点について説明する。
【００５５】
図３では、２種設けたプリアンブル検出部９a、９ｂを１種のプリアンブル検出部(セル半径内・外)９に統合してある点である。
【００５６】
統合後のプリアンブル検出部（セル半径内・外)９は、図１のＢ（基地局のセル半径内）と図１のＣ（基地局のセル半径外）の両方のプリアンブル検出を時分割多重で行う。
【００５７】
図４は、本発明によるランダムアクセスチャネル受信方法を示すフローチャートである。以下に、移動局から基地局へ送信される上り受信データのランダムアクセスチャネル受信方法について、図２、図３を参照して説明する。
【００５８】
Ｓ１．各前段処理部１０〜１ｎにて、任意のアンテナ数分パラレルに入力される上り受信データに対して、前述したとおりの前段処理を行う。
【００５９】
Ｓ２．離散フーリエ変換器（ＤＦＴ）２０〜２ｎにて、時間軸から周波数軸への変換を行う。
【００６０】
Ｓ３．系列除去部３０〜３ｎにて、レプリカ系列を乗算することで相関値を得る。
【００６１】
Ｓ４．逆離散フーリエ変換器（ＩＦＦＴ）５０〜５ｎにて、周波数軸から時間軸への変換を行う。
【００６２】
Ｓ５．電力プロファイル６０〜６ｎにて、相関値を得る。
【００６３】
Ｓ６．プロファイル合成部７にて、相関値をアンテナ数分加算することで、遅延プロファイルを得る。
【００６４】
Ｓ７．雑音電力算出部８にて、プロファイルの干渉電力レベルを得る。
【００６５】
Ｓ８．プリアンブル検出部(セル半径外)９ｂにて、プロファイル合成部７から得られる遅延プロファイルが入力され、余剰プロファイル区間(図１のＣ)のみを用いてプリアンブル検出閾値を確定し、プロファイル状態に応じ動的に更新・適用していく。
【００６６】
Ｓ９．ランダムアクセスチャネル受信回数は、任意時間当たりに含まれる物理ランダムアクセスチャネル受信回数×サイクリックシフト数の値であり、予め定められた値に到達したか否かを判断する。
【００６７】
Ｓ１０．誤検出確率算出部１１にて、プリアンブル誤検出数／物理ランダムアクセスチャネル受信回数により、誤検出確率を算出する。前述したとおり、セル半径外プリアンブル検出＝誤検出と見なすことができる。
【００６８】
Ｓ１１．検出閾値算出部１２にて、Ｓ１０で得られた誤検出確率から閾値を決定する。初回は初期値を設定し、初回以外は任意のステップで閾値を増減させる。
【００６９】
Ｓ１２．プリアンブル検出閾値を更新するステップ幅と、プロセス繰返し回数を関連させてプリアンブル検出閾値を収束させる。
【００７０】
Ｓ１３．プリアンブル検出部(セル半径内)９ａにて、プロファイル合成部７から得られる遅延プロファイルが入力され、収束されたプリアンブル検出閾値が入力されることにより、閾値以上であればプリアンブル検出、閾値未満であればプリアンブル未検出と判定する。
【００７１】
Ｓ１４．タイミング調整算出部１０にて、プリアンブル判定と検出されたプリアンブルについて、そのピーク位置よりタイミング調整値を算出し、プリアンブル検出情報として出力する。
【産業上の利用可能性】
【００７２】
本発明は、受信データの所望な誤検出確率となるプリアンブル検出閾値を動的に適用できるランダムアクセスチャネル受信装置にて利用できる。
【００７３】
以上の実施例１〜２を含む実施態様に関し、更に以下の付記を開示する。
(付記１)
複数の移動局が共通のチャネルを用いて任意のタイミングで基地局にアクセスを行い、基地局は前記移動局からのメッセージ送信を受信し制御するランダムアクセスチャネル受信装置において、
各移動局からの受信データから各電力プロファイルを合成して遅延プロファイルを作成するプロファイル合成部と、
前記遅延プロファイルの中に、前記移動局からフレームの始まりを合図するために送られるプリアンブルの有無検出を行うプリアンブル検出部と、
前記プリアンブルの誤検出の確率を算出する誤検出確率算出部と、
前記誤検出確率算出部により得られる誤検出確率に対応して閾値を算出する検出閾値算出部と、
を有することを特徴とするランダムアクセスチャネル受信装置。
(付記２)
付記１記載のランダムアクセスチャネル受信装置において、
前記プリアンブル検出部は、前記基地局のセル半径内とセル半径外の２種類の範囲を切り替える手段を有することを特徴とするランダムアクセスチャネル受信装置。
(付記３)
付記１記載のランダムアクセスチャネル受信装置において、
前記プリアンブル誤検出確率算出部は、前記基地局のセル半径外である余剰プロファイル区間からプリアンブル誤検出回数を求めることを特徴とするランダムアクセスチャネル受信装置。
(付記４)
付記３記載のランダムアクセスチャネル受信装置において、
前記プリアンブル誤検出確率算出部は、前記プリアンブル誤検出回数と前記ランダムアクセスチャネル受信回数によりプリアンブル誤検出確率を算出することを特徴とするランダムアクセスチャネル受信装置。
(付記５)
付記４記載のランダムアクセスチャネル受信装置において、
前記プリアンブル誤検出確率算出部は、時間平均を用いてプリアンブル誤検出確率を算出することを特徴とするランダムアクセスチャネル受信装置。
(付記６)
付記１記載のランダムアクセスチャネル受信装置において、
前記検出閾値算出部は、検出閾値を更新するステップ幅に対応して閾値決定プロセス繰り返し数を決定することを特徴とするランダムアクセスチャネル受信装置。
(付記７)
複数の移動局が共通のチャネルを用いて任意のタイミングで基地局にアクセスを行い、基地局は前記移動局からのメッセージ送信を受信し制御するランダムアクセスチャネル受信方法であって、
各移動局からの受信データから各電力プロファイルを合成して遅延プロファイルを作成するステップと、
前記遅延プロファイルの中に、前記移動局からフレームの始まりを合図するために送られるプリアンブルの有無検出を行うステップと、
前記プリアンブルの誤検出の確率を算出するステップと、
得られた誤検出確率に対応して閾値を算出するステップと、
を含むことを特徴とするランダムアクセスチャネル受信方法。
(付記８)
付記７記載のランダムアクセスチャネル受信方法であって、
前記プリアンブルの有無を検出するステップは、前記基地局のセル半径内とセル半径外の２種類の範囲を切り替えるステップを含むことを特徴とするランダムアクセスチャネル受信方法。
(付記９)
付記７記載のランダムアクセスチャネル受信方法であって、
前記プリアンブルの誤検出の確率を算出するステップは、前記基地局のセル半径外である余剰プロファイル区間からプリアンブル誤検出回数を求めることを特徴とするランダムアクセスチャネル受信方法。
(付記１０)
付記９記載のランダムアクセスチャネル受信方法であって、
前記プリアンブルの誤検出の確率を算出するステップは、前記プリアンブル誤検出回数と前記ランダムアクセスチャネル受信回数によりプリアンブル誤検出確率を算出することを特徴とするランダムアクセスチャネル受信方法。
(付記１１)
付記１０記載のランダムアクセスチャネル受信方法であって、
前記プリアンブルの誤検出の確率を算出するステップは、時間平均を用いてプリアンブル誤検出確率を算出することを特徴とするランダムアクセスチャネル受信方法。
(付記１２)
付記７記載のランダムアクセスチャネル受信方法であって、
前記閾値を算出するステップは、検出閾値を更新するステップ幅に対応して閾値決定プロセス繰り返し数を決定することを特徴とするランダムアクセスチャネル受信方法。
【符号の説明】
【００７４】
１０〜１ｎ    前段処理部
２０〜２ｎ    離散フーリエ変換器（ＤＦＴ：Discrete Fourier Transform）
３０〜３ｎ    系列除去部
４    レプリカ系列発生部
５０〜５ｎ    逆離散フーリエ変換器（ＩＦＦＴ：Inverse FET）
６０〜６ｎ    電力プロファイル
７    プロファイル合成部
８    雑音電力算出部
９    プリアンブル検出部（パワー判定）
９’    プリアンブル検出部（セル半径内・外）
９ａ    プリアンブル検出部（セル半径内）
９ｂ    プリアンブル検出部（セル半径外）
１０    タイミング調整算出部
１１    誤検出確率算出部(時間平均)
１２    検出閾値算出部
【図１】
2011114716.tif 000003
【図２】
2011114716.tif 000004
【図３】
2011114716.tif 000005
【図４】
2011114716.tif 000006
【図５】
2011114716.tif 000007
【図６】
2011114716.tif 000008